(57)【要約】【課題】薄く、軽量で見た目も美しいゴーグルの構造を提供する。【解決手段】側縁１１で一体に結合されたパッド１０と二つのレンズ２０、及びフレーム部３０と嵌合装置４０とより構成し、該円形部３１１の構造を骨組み３１３a，３１３ｂ間で上下に分離して構成し、その間を押し拡げて該パッド１０とレンズ２０の側縁１１を該フレーム部３０の二つの円形部３１１内側に設けた凹型溝に嵌合すると共に、該嵌合装置４０に形成したフック板４１１と凸型ブロック４１２、及び該楔板４１３などの構造とフレーム部30に形成した凹型部３１５eと凹型孔３１５f、及び内凹型口３１５gなどの構造を嵌合して結合することにより、上記骨組み３１３a，３１３ｂ間を固定し、フレーム部、パッドからなる構造を一体に結合する。【選択図】図４
0003108121.tif 000002
【実用新案登録請求の範囲】
【請求項１】
パッドと二つのレンズとフレーム部と嵌合装置とより構成されるゴーグルの構造において、
鼻の部位を覆うパッドと二つの目に対応するレンズとが側縁で一体に結合され、
フレーム部は、該側縁に嵌合する凹溝を周縁に設けた二つの円形部及びその両側にバンドが設置される箇所を設けると共に、該二つの円形部間を上下に分離した構造とし、
さらに、嵌合装置は、該フレーム部の分離箇所において、フレーム部分離箇所の上下の嵌合構造に対応する嵌合構造を備えて該分離箇所を結合・固定するようにしたこと
を特徴とするゴーグルの構造。
【請求項２】
該フレーム部における二つのフレーム円形部間の分離箇所の構造は、上骨組みと下骨組みとの二部に分かれてなることを特徴とする請求項１記載のゴーグルの構造。
【請求項３】
該嵌合装置は、該二つのフレーム円形部間にて、該分離されていない位置に設置されることを特徴とする請求項１記載のゴーグルの構造。
【請求項４】
該嵌合装置は、該フレーム円形部の縁に配置されることを特徴とする請求項１記載のゴーグルの構造。
【考案の詳細な説明】
【技術分野】
【０００１】
本考案はゴーグルの構造に係り、特に水泳やスノーケリング等のスポーツに用いられるゴーグルの構造に関わる。
【背景技術】
【０００２】
公知における水泳用のゴーグルは、図１に示すようにメインフレームＡとサブフレームB、並びにシリコン材質によるパッドＣ、及び透明材質による複数のレンズDで構成されるものがある。この構造では該メインフレームAとサブフレームBとが緊密に合わせられることにより、該パッドCとレンズDが挟設され、該パッドCとレンズDの間から水が入り込まないようになっている。更に該メインフレームAの両側にバンド（図中無し）を取り付けることで、頭部にしっかり固定されるゴーグルが完成する。
【特許文献１】特開２００２−３４５９９号公報
【考案の開示】
【考案が解決しようとする課題】
【０００３】
上述のような公知におけるゴーグルでは、以下の欠点がある。
メインフレームとサブフレームには相当な厚みがあり、これによりレンズとパッドを挟んでいるのであるが、この厚みによってゴーグル全体が厚くなっている。更にメインフレームとサブフレームは、厚さに加えて強度が要求されるため、全体の重量が重いものとなり、使用者の頭部に負担がかかることが言える。
更にはメインフレームとサブフレームをこのように結合して一体とした構造による外形のため、浮き沈み、或いは前進等の動作をする際に、必然と抵抗が大きくなってしまう。
また見た目の美しさに欠けることも言える。
そこで以上の欠点を解決すべく、レンズとパッドとを生産過程において一体化してしまう方法が既に開発されており、防水性に優れるといった利点を持ち合せるが、しかし両者の結合個所は外力により破損し易く、重さや厚みにおいては未だ改良が進んでいない。
上述の欠点に鑑み、薄く、軽量で見た目も美しい本考案のゴーグルの構造を提供する。
【課題を解決するための手段】
【０００４】
レンズとパッドの成形プロセスにおいて一体成形（オーバーモールド）し、これを面積がやや広いフレーム部を装入し、嵌合装置を設けることにより該フレーム部内における該レンズとパッドの固定を更に安定したものとする。
また該フレーム部における二つの円形部の間には立て向きの骨組みを設けるが、該骨組みは上下に分けられるよう設計し、こうすることで該レンズとパッドの装入を容易にし、且つ該骨組みの付近に該嵌合装置を設けることで密閉度を高め、防水効果を強化し、ゴーグルの全体が安定した構造となるようにする。
【考案の効果】
【０００５】
本考案によると、簡単な構造により、軽くて薄く、且つ見た目にも美しいゴーグルを提供することに成功した。
【考案を実施するための最良の形態】
【０００６】
図２から図４に示すように、本考案には主にパッド１０と二つのレンズ２０及びフレーム部３０と嵌合装置４０が含まれる。
該パッド１０はシリコンなどの素材により製造されているものが望ましいがこれに限られるものではなく、顔の眼や鼻の部分を覆い、水が入り込まないようにするのに適した材質とする。
該レンズ２０はガラス等の透明の材質により製造されているものとするが、これに限られるものではない。
該パッドと該レンズ２０は一体成形で一体となり、両者が密に接触していることから優れた防水効果を提供するが、一体成形ではなくとも該パッド１０とレンズ２０との間が緊密になるのあれば、粘着やその他の方法等でもよく、上述の方法に限られるものではない。
【０００７】
該パッド１０とレンズ２０の結合位置の外縁には、保護を受けなければならない側縁１１がある。即ち該側縁１１とは外力を受けることで密封状態が保たれなくなりやすいため、水漏れが起こりやすくなるのである。
該フレーム部３０においては、適度な弾性と剛性を具えた材質とし、該パッド１０とレンズ２０の結合位置（即ち上述の側縁１１）を固定する個所を含む。該フレーム部３０は、詳細にはフレーム３１及び該フレーム部３０の両側の連結部３２を含み、ゴーグルを頭に固定するためのバンド（図中無し）を連結させる個所とする。該連結部３２とバンドの種類においてはここでは敢えて記載しない。
【０００８】
該フレーム３１は、該パッド１０とレンズ２０の結合位置を覆うためのものであり、これにより外力による損傷を防ぎ、防水効果を保つ役割を提供する。該フレーム３１は、詳細には二つのフレーム円形部３１１を含み、該二つのフレーム円形部３１１間の縦向きの骨組み位置には間隔３１２が設けられており、該縦向きの骨組みを上骨組み３１３aと下骨組み３１３bとに隔てている。また該フレーム円形部３１１周縁のフレーム３１の内縁は凹型の溝３１４を呈しており、該パッド１０とレンズ２０の結合位置（側縁１１）を嵌合する個所を提供し、該側縁１１が保護される状態を形成する。該上骨組み３１３aと下骨組み３１３bに力を加えてその間を拡げると、該二つのフレーム円形部３１１の空間がやや拡大され（円周が増大して円の面積が大きくなるため）、該側縁１１は該フレーム円形部３１１内縁の凹型溝３１４中に嵌合される。
【０００９】
図３から図７に示すように、該嵌合装置４０は該フレーム部３０上に設けられる構造であり、該嵌合装置４０は該フレーム部３０の上骨組み３１３aと下骨組み３１３b及び間隔３１２の形状に合わせて設計されているものとする。
図３から図５に示すように、該嵌合装置４０には二つの上アーム４１と二つの下アーム４２、並びに鼻筋部４３を具有するが、該二つの上アーム４１間には上縁４４を具有し、該上アーム４１上にはフック板４１１と凸型ブロック４１２及び末端の楔板４１３が設けられている。該二つの下アーム４２上には凸型ブロック４２１と定位端４２２及び末端の楔板４２３が設けられており、該鼻筋部４３上には凸型ブロック４３１と下凸型ブロック４３２及び挿入板４３３等が設けられている。
【００１０】
該フレーム部３０上には、該嵌合装置４０上の各部位に対応し、該骨組み３１３aの上方には３１５aと凹型溝３１５bが設けられ、それぞれが該上縁４４と上凸型ブロック４３１と結合するようになっている。  該下骨組み３１３b上には凹型溝３１５cと挿入溝３１５dが設けられており、それぞれ該下凸ブロック４３２と挿入板４３３と結合するようになっている。該フレーム部３０の上縁には凹型部３１５eと凹型孔３１５f並びに内凹型口３１５gが設けられ、該フック板４１１と凸型ブロック４１２、及び該楔板４１３が嵌合するようにしている。該フレーム円形部３１１内側のフレーム部３０位置には、該下アーム４２に相対する個所として凹型溝３１５hと斜口３１５j及び内凹型口３１５kが設けられており、該凸型ブロック４２１と定位端４２２及び楔板４２３の嵌合個所を提供する。該フレーム３０の下骨組み３１３b下方は、鼻状板３１５mが設けられ、更に挿入溝３１５dを設けることにより挿入板４３３を挿入する個所を提供する。
【００１１】
図６に示すように、図２中のA‐Aによる断面は、該嵌合装置４０とフレーム部３０を連結させた部分の状態を示しており、該嵌合装置４０上の上凸型ブロック４３１を該上骨組み３１３aの上板３１５a下方の凹型溝３１５b中に設置し、該嵌合装置４０の下凸型ブロック４３２を該下骨組み３１３bの凹型溝３１５c中に設置すると、該挿入板４３３が該鼻状板３１５mの挿入溝３１５d中に挿入される。上述の結合状態では該上骨組み３１３aと下骨組み３１３bとの間の間隔３１２が安定した状態となり、該フレーム部３０全体が安定した構造となる。
【００１２】
図７に示すように、図２中のB‐Bによる断面図では、該パッド１０と該レンズ２０の側縁１１位置が該フレーム部３０の凹型溝３１４によって包囲された状態を示しており、該側縁１１が外力により容易に外れてしまうのが防止されるようにしている。
このようにして、該パッド１０とレンズ２０を結合させた状態の構造が該フレーム部３０中に組み込まれ、該嵌合装置４０とフレーム部３０とにより緊密に固定される。
【図面の簡単な説明】
【００１３】
【図１】公知における水泳用のゴーグルの構造における分解図である。
【図２】本考案における立体図である。
【図３】本考案における立体分解図（１）である。
【図４】本考案における立体分解図（２）である。
【図５】嵌合装置における立体図（反面）である。
【図６】図２中のA‐Aによる断面図である。
【図７】図２中のＢ−Ｂによる断面図である。
【符号の説明】
【００１４】
１０  パッド
１１  側縁
２０  レンズ
３０  フレーム部
３１  フレーム
３１１  フレーム円形部
３１２  間隔
３１３a  上骨組み
３１３b  下骨組み
３１４  凹型溝
３１５a  上板
３１５b  凹型溝
３１５c  凹型溝
３１５d  挿入溝
３１５e  凹型部
３１５f  凹型孔
３１５g  内凹型口
３１５h  凹型溝
３１５j  斜口
３１５k  内凹型口
３１５m  鼻状板
３２  連結部
４０  嵌合装置
４１  上アーム
４２  下アーム
４１１  フック板
４１２  凸型ブロック
４１３  楔板
４２１  凸型ブロック
４２２  定位端
４２３  楔板
４３  鼻筋部
４３１  上凸型ブロック
４３２  下凸型ブロック
４３３  挿入板
４４  上縁
【図１】
0003108121.tif 000003
【図２】
0003108121.tif 000004
【図３】
0003108121.tif 000005
【図４】
0003108121.tif 000006
【図５】
0003108121.tif 000007
【図６】
0003108121.tif 000008
【図７】
0003108121.tif 000009